(57)【特許請求の範囲】
【請求項１】
鞍乗型車両の側面視で、車体フレーム部材と重なり、前記車体フレーム部材の上下に渡るように設けられる物品収納ボックスを備え、
前記物品収納ボックスは、前記車体フレーム部材を避けるようにボックス内側に膨出する膨出部と、前記膨出部と側面視で重なる部位に設けられてボックス内部空間を上下に区画する区画部材と、を備え、
前記区画部材は、長さ方向を車両前後方向に向けた第一メンテナンスツールを保持するツール保持部を備え、
前記ツール保持部は、前記区画部材の上面から上方に向けて起立し、前記第一メンテナンスツールを支える支持壁部を備え、
前記支持壁部は、前記膨出部の上端部よりも下方に配置されていることを特徴とする、鞍乗型車両の収納構造。
【請求項２】
前記ツール保持部は、前記支持壁部に隣接して前記区画部材の前記上面に形成され、前記第一メンテナンスツールを保持する凹部を備えていることを特徴とする、請求項１に記載の鞍乗型車両の収納構造。
【請求項３】
前記支持壁部は、前記凹部の車幅方向両側に左右支持壁部を備えていることを特徴とする、請求項２に記載の鞍乗型車両の収納構造。
【請求項４】
前記ツール保持部は、前記凹部に部分的に隣接して前記区画部材の前記上面に形成された窪み部を備えていることを特徴とする、請求項２又は３に記載の鞍乗型車両の収納構造。
【請求項５】
前記支持壁部は、前記凹部の上方で平面視で前記凹部と重なるように突出するツール係止部を備えていることを特徴とする、請求項２から４の何れか一項に記載の鞍乗型車両の収納構造。
【請求項６】
前記支持壁部は、部分的に切り欠かれた切り欠き部を備えていることを特徴とする、請求項１から５の何れか一項に記載の鞍乗型車両の収納構造。
【請求項７】
前記支持壁部は、前記第一メンテナンスツールに沿って前記車両前後方向に延びる前後方向延出壁部と、前記前後方向延出壁部から車幅方向に延びる車幅方向延出壁部と、を備えていることを特徴とする、請求項１から６の何れか一項に記載の鞍乗型車両の収納構造。
【請求項８】
前記支持壁部は、凹部の車幅方向両側に左右支持壁部を備え、
前記車幅方向延出壁部は、前記左右支持壁部の内、前記車幅方向外側の前記右支持壁部から、前記車幅方向で前記第一メンテナンスツールとは反対側に延び、
前記区画部材は、前記前後方向延出壁部と前記車幅方向延出壁部とに囲まれた領域に、前記ツール保持部が保持する前記第一メンテナンスツールとは別に第二メンテナンスツールおよび第三メンテナンスツールを保持する第二ツール保持部を備えていることを特徴とする、請求項７に記載の鞍乗型車両の収納構造。
【発明の詳細な説明】
【技術分野】
【０００１】
本発明は、鞍乗型車両の収納構造に関する。
本願は、２０１７年０２月２０日に、日本に出願された特願２０１７−０２９０３８号に基づき優先権を主張し、その内容をここに援用する。
【背景技術】
【０００２】
鞍乗型車両の収納構造において、ユーティリティーボックスの底部に凹部を設け、この凹部にメンテナンスツールを保持する構造が開示されている（例えば特許文献１参照）。この場合、メンテナンスツールはユーティリティーボックスの底部に入り込むため、メンテナンスツールの出し入れの面では難がある。
一方、ユーティリティーボックス内の下部に、バッテリ等を収納する空間を区画するバッテリカバーを設け、このバッテリカバー上にメンテナンスツールを保持する構造が開示されている（例えば特許文献２参照）。この場合、ユーティリティーボックス内からバッテリのメンテナンスを可能とし、かつメンテナンスツールの出し入れもしやすくなっている。
【先行技術文献】
【特許文献】
【０００３】
【特許文献１】日本国特開２００９−４００８７号公報
【特許文献２】日本国特開２０１３−２５６１９１号公報
【発明の概要】
【発明が解決しようとする課題】
【０００４】
ところで、鞍乗型車両においては、荷物をたくさん載せるために、物品収納ボックスをより一層大きくすることが望まれている。このため、物品収納ボックスは、車体フレーム部材よりも下方に延びるように配置されることがある。この場合、物品収納ボックスは、側面視で車体フレーム部材と重なる部位に、ボックス内側に向けて膨出する膨出部を形成し、ボックス外側の車体フレーム部材を避けることがある。
しかし、ボックス内側に膨出部を形成すると、膨出部を形成した部位では車幅方向の収納を制限してしまう。例えば、特許文献２のように、ボックス内の区画部材にメンテナンスツールを車幅方向に沿わせて保持する場合、メンテナンスツールの長さが膨出部を形成した部位の幅よりも長いと収納できなくなる。このため、区画部材の高さを変化させ、メンテナンスツールを膨出部よりも高い位置に収納するといった対応が必要となり、ボックス内の収納空間を浅くしてしまうという課題がある。【０００５】
そこで本発明は、物品収納ボックス内に収納したメンテナンスツールの出し入れを容易にしながら、物品収納ボックスの収納空間の深さを確保することができる、鞍乗型車両の収納構造を提供することを目的とする。
【課題を解決するための手段】
【０００６】
上記課題の解決手段として、本発明の態様は以下の構成を有する。
（１）本発明の態様に係る鞍乗型車両の収納構造は、鞍乗型車両の側面視で、車体フレーム部材と重なり、前記車体フレーム部材の上下に渡るように設けられる物品収納ボックスを備え、前記物品収納ボックスは、前記車体フレーム部材を避けるようにボックス内側に膨出する膨出部と、前記膨出部と側面視で重なる部位に設けられてボックス内部空間を上下に区画する区画部材と、を備え、前記区画部材は、長さ方向を車両前後方向に向けた第一メンテナンスツールを保持するツール保持部を備え、前記ツール保持部は、前記区画部材の上面から上方に向けて起立し、前記第一メンテナンスツールを支える支持壁部を備え、前記支持壁部は、前記膨出部の上端部よりも下方に配置されている。【０００７】
本発明の上記（１）に記載の鞍乗型車両の収納構造によれば、区画部材の上面にツール保持部を設けて第一メンテナンスツールを縦方向（車両前後方向）に沿わせて配置するので、ボックス内側で車幅方向内側に膨出する膨出部があっても、長さを有する第一メンテナンスツールを区画部材の上面に容易に保持することができる。このため、第一メンテナンスツールは区画部材上方の出し入れしやすい上段収納空間に収納しながら、区画部材下方の下段収納空間は例えばバッテリ等の電装部品の収納空間として有効利用することができる。
また、ツール保持部は、上方に向けて起立した支持壁部によって、第一メンテナンスツールを長さ方向と直交する車幅方向から支えるので、第一メンテナンスツールを安定して保持することができる。そして、支持壁部は、膨出部の上端部の高さよりも低く設けられているので、支持壁部が膨出部よりも上方の空間に突出せず、膨出部よりも上方の空間の深さを確保することができる。区画部材の上面にツール保持部の支持壁部等を一体形成する構成であれば、別途の部品を追加することなく第一メンテナンスツールの保持構造を容易に設けることができる。【０００８】
（２）上記（１）に記載の鞍乗型車両の収納構造では、前記ツール保持部は、前記支持壁部に隣接して前記区画部材の前記上面に形成され、前記第一メンテナンスツールを保持する凹部を備えてもよい。【０００９】
本発明の上記（２）に記載の鞍乗型車両の収納構造によれば、区画部材の上面に第一メンテナンスツールを保持する凹部を設けることで、区画部材の上面よりも低い位置で第一メンテナンスツールを保持することができる。このため、第一メンテナンスツールを保持したツール保持部の高さを抑え、上段収納空間の深さを確保することができる。また、第一メンテナンスツールを凹部に収納するので、第一メンテナンスツールを強固に保持することができる。【００１０】
（３）上記（２）に記載の鞍乗型車両の収納構造では、前記支持壁部は、前記凹部の車幅方向両側に左右支持壁部を備えてもよい。【００１１】
本発明の上記（３）に記載の鞍乗型車両の収納構造によれば、凹部の両側に左右支持壁部を設けることで、凹部に落とし込んだ第一メンテナンスツールを左右支持壁部で挟み込むように支持し、第一メンテナンスツールをより強固に保持することができる。【００１２】
（４）上記（２）又は（３）に記載の鞍乗型車両の収納構造では、前記ツール保持部は、前記凹部に部分的に隣接して前記区画部材の前記上面に形成された窪み部を備えてもよい。【００１３】
本発明の上記（４）に記載の鞍乗型車両の収納構造によれば、凹部に部分的に隣接する窪み部を設けることで、第一メンテナンスツールを凹部に保持しながら、区画部材の上面よりも低い位置に保持した第一メンテナンスツールに対し、窪み部を通じてよりアクセスしやすい構成とすることができる。【００１４】
（５）上記（２）から（４）の何れか一項に記載の鞍乗型車両の収納構造では、前記支持壁部は、前記凹部の上方で平面視で前記凹部と重なるように突出するツール係止部を備えてもよい。【００１５】
本発明の上記（５）に記載の鞍乗型車両の収納構造によれば、支持壁部が凹部の上方に突出するツール係止部を備えることで、凹部に収納した第一メンテナンスツールをツール係止部で上方から係止することができる。このため、第一メンテナンスツールが凹部から上方に飛び出すことを抑止し、第一メンテナンスツールをしっかりと保持することができる。【００１６】
（６）上記（１）から（５）の何れか一項に記載の鞍乗型車両の収納構造では、前記支持壁部は、部分的に切り欠かれた切り欠き部を備えてもよい。【００１７】
本発明の上記（６）に記載の鞍乗型車両の収納構造によれば、支持壁部に切り欠き部を設けることで、支持壁部に支えられた第一メンテナンスツールにアクセスしやすい構成とすることができる。【００１８】
（７）上記（１）から（６）の何れか一項に記載の鞍乗型車両の収納構造では、前記支持壁部は、前記第一メンテナンスツールに沿って前記車両前後方向に延びる前後方向延出壁部と、前記前後方向延出壁部から車幅方向に延びる車幅方向延出壁部と、を備えてもよい。【００１９】
本発明の上記（７）に記載の鞍乗型車両の収納構造によれば、支持壁部が互いに交差する方向に延びる前後方向延出壁部および車幅方向延出壁部を備えることで、支持壁部を強固にして第一メンテナンスツールをより強固に保持することができる。【００２０】
（８）上記（７）に記載の鞍乗型車両の収納構造では、前記支持壁部は、凹部の車幅方向両側に左右支持壁部を備え、前記車幅方向延出壁部は、前記左右支持壁部の内、前記車幅方向外側の前記右支持壁部から、前記車幅方向で前記第一メンテナンスツールとは反対側に延び、前記区画部材は、前記前後方向延出壁部と前記車幅方向延出壁部とに囲まれた領域に、前記ツール保持部が保持する前記第一メンテナンスツールとは別に第二メンテナンスツールおよび第三メンテナンスツールを保持する第二ツール保持部を備えてもよい。【００２１】
本発明の上記（８）に記載の鞍乗型車両の収納構造によれば、前後方向延出壁部の第一メンテナンスツールとは反対側の範囲に第二ツール保持部を設けることで、支持壁部を強固にしながら、前後方向延出壁部の第一メンテナンスツールとは反対側のスペースを第二メンテナンスツールおよび第三メンテナンスツールの収納部として有効活用することができる。
【発明の効果】
【００２２】
本発明の態様によれば、物品収納ボックス内に収納したメンテナンスツールの出し入れを容易にしながら、物品収納ボックスの収納空間の深さを確保することができる、鞍乗型車両の収納構造を提供することができる。
【図面の簡単な説明】
【００２３】
【図１】本発明の実施形態における鞍乗型車両の左側面図である。
【図２】上記鞍乗型車両の物品収納ボックス周辺の平面図である。
【図３】上記物品収納ボックスの左側面図である。
【図４】上記物品収納ボックスのボックス本体の平面図である。
【図５】上記物品収納ボックスの区画部材の平面図である。
【図６】上記区画部材の左側面図である。
【図７】上記区画部材の斜視図である。
【図８】上記物品収納ボックスの平面図である。
【図９】図８のＩＸ−ＩＸ断面図である。
【図１０】図８のＸ−Ｘ断面図である。
【図１１】図８のＸＩ−ＸＩ断面図である。
【図１２】図８のＸＩＩ−ＸＩＩ断面図である。
【図１３Ａ】ツール保持部に保持した両口スパナが取り得る姿勢を示す側面図である。
【図１３Ｂ】ツール保持部に保持した両口スパナが取り得る姿勢を示す側面図である。
【図１３Ｃ】ツール保持部に保持した両口スパナが取り得る姿勢を示す側面図である。
【図１３Ｄ】ツール保持部に保持した両口スパナが取り得る姿勢を示す側面図である。
【図１４】図１３ＡのＸＩＶ−ＸＩＶ断面図である。
【発明を実施するための形態】
【００２４】
以下、本発明の実施形態について図面を参照して説明する。なお、以下の説明における前後左右等の向きは、特に記載が無ければ以下に説明する車両における向きと同一とする。また以下の説明に用いる図中適所には、車両前方を示す矢印ＦＲ、車両左方を示す矢印ＬＨ、車両上方を示す矢印ＵＰ、車両左右中心を示す線ＣＬが示されている。
【００２５】
図１に示すように、本実施形態の自動二輪車（鞍乗型車両）１は、車体フレーム１０の前端部にヘッドパイプ１１を備えている。ヘッドパイプ１１には、前輪ＷＦを支持する左右一対のフロントフォーク１２がステム１２ａを介して支持されている。ステム１２ａの上部には、操向用のバーハンドル１３が取り付けられている。
【００２６】
車体フレーム１０は、ヘッドパイプ１１から下後方へ単一のメインフレーム１０ａを延ばした所謂バックボーン型である。車体フレーム１０は、メインフレーム１０ａの位置を低くし、ヘッドパイプ１１と乗員着座用のシート２３との間に跨ぎ空間を形成している。メインフレーム１０ａの後端部の下方には、ピボットフレーム１０ｃが延びている。ピボットフレーム１０ｃには、後輪ＷＲを支持するリアフォーク１５の前端部が支持されている。リアフォーク１５の後部と車体フレーム１０の後部（シートフレーム１０ｂ）との間には、左右一対のリアクッション１６が配置されている。
【００２７】
車体フレーム１０の後部を形成するシートフレーム１０ｂは、左右一対のシートレール１０ｂ１（車体フレーム部材）と、左右一対のサポートフレーム１０ｂ２と、を備えている。左右シートレール１０ｂ１は、メインフレーム１０ａの後部から左右に分岐するように上後方へ延びた後、略水平に屈曲して後方へ延びている。左右サポートフレーム１０ｂ２は、ピボットフレーム１０ｃの後部から左右に分岐するように上後方へ延びた後、左右シートレール１０ｂ１の中間部に下方から接続されている。
【００２８】
後輪ＷＲの上方であってシートフレーム１０ｂの後部の内側には、燃料タンク２０が配置されている。燃料タンク２０は、後部車体カバー２１の内側でシート２３の後部の下方に配置されている。燃料タンク２０の前方であってシートフレーム１０ｂの前部の内側には、物品収納ボックス３０が配置されている。物品収納ボックス３０は、後部車体カバー２１の内側でシート２３の前部の下方に配置されている。
【００２９】
シート２３は、シートフレーム１０ｂおよび後部車体カバー２１に支持されている。シート２３は、シートヒンジ２４を介して図１に示す使用位置から前上方へ退避可能である。シート２３が使用位置から退避することで、利用者が燃料タンク２０および物品収納ボックス３０にアクセス可能である。
【００３０】
図２に示すように、物品収納ボックス３０は、ボックス本体３１と、区画部材（バッテリカバー）４１と、を備えている。ボックス本体３１は、上端部に開口部３１ａを有する容器形状をなしている。ボックス本体３１は、前部が後部よりも幅を狭めるように形成されている。これにより、シート２３に着座した運転者の脚の下ろしやすさに寄与している。
【００３１】
ボックス本体３１は、上後部の左右両側に、左右シートレール１０ｂ１に固定された不図示のマウント部材に支持される左右一対の後マウント部３２を有している。ボックス本体３１は、前部下側の左右中央部に、シートフレーム１０ｂに固定された不図示のマウント部材に支持される前マウント部３３を有している。
【００３２】
図３、図４に示すように、ボックス本体３１は、前部が後部よりも狭い形状の開口部３１ａと同様の断面形状を有して下方に延びている。ボックス本体３１の前部上側には、シート２３の前端部を支持するシートヒンジ２４のベース部３４が一体形成されている。図中線３４ａは車幅方向に沿うヒンジ軸の中心軸線を示す。後部上側には、左右の後マウント部３２間をつなぐ後補強部３５が一体形成されている。ボックス本体３１は、開口部３１ａの後側を後上がりに傾斜させている。
【００３３】
ボックス本体３１は、側面視で左右シートレール１０ｂ１の前部と重なる位置に設けられている。ボックス本体３１は、左右シートレール１０ｂ１の前部の上下に渡るように設けられている。ボックス本体３１は、左右シートレール１０ｂ１の前部よりも下方へ延びる深さに設けられている。
【００３４】
ボックス本体３１は、前部よりも幅広の後部が左右シートレール１０ｂ１の前部間に入り込むため、後下部の左右幅を狭めている。ボックス本体３１の後下部の左右両側には、左右シートレール１０ｂ１を避けるように、ボックス内側に膨出する左右膨出部３６Ｌ，３６Ｒが形成されている。左右膨出部３６Ｌ，３６Ｒは、側面視で左右シートレール１０ｂ１の傾斜に沿うように傾斜している。左右膨出部３６Ｌ，３６Ｒは、ボックス本体３１における幅狭の前部では、膨出を小さくするあるいは消失している。
【００３５】
左右膨出部３６Ｌ，３６Ｒは、例えば一方（本実施形態では左側）が他方（本実施形態では右側）よりもボックス内側へ大きく膨出している。これは、例えば燃料タンク２０からエンジンＥ側へ延びる燃料ホース２０ａ（図９〜図１１参照）を左右シートレール１０ｂ１よりも車幅方向内側に配置するためである。ボックス本体３１の左側面には、燃料ホース２０ａの配置をガイドするホースガイド３７が突設されている。
【００３６】
図３〜図７に示すように、区画部材４１は、ボックス本体３１とは別体をなし、例えばＰＰ等の合成樹脂で一体形成されている。区画部材４１は、略水平な板状をなし、側面視で左右膨出部３６Ｌ，３６Ｒおよび左右シートレール１０ｂ１を横断する高さに設けられている。区画部材４１は、ボックス内部空間Ｋ１を、上段収納空間ＵＫと下段収納空間ＬＫとに区画している。下段収納空間ＬＫは、バッテリ５１を含む電装部品を収納する空間として、上段収納空間ＵＫに対して遮蔽される。上段収納空間ＵＫは、ヘルメット等の荷物を出し入れするためのユーティリティースペースとして機能する。
【００３７】
区画部材４１は、ボックス本体３１の上下中間位置に、略水平な上面（以下、物品載置面４１ａという。）を形成する。区画部材４１の下方は電装部品の収納スペースであり、区画部材４１が形成する物品載置面４１ａは、実質的にユーティリティースペースの底面である。ボックス本体３１の下部（下段収納空間ＬＫ）は、深さを増すにつれて他部品を避ける等して縮小する。ボックス本体３１の上下中間位置の区画部材４１は、ボックス本体３１の底面３１ｂよりも広い物品載置面４１ａを形成している。ボックス本体３１の底面３１ｂには、平面視Ｌ字状のドレン通路３８が形成されるとともに、バッテリ５１の収納位置を定める縦壁部３９（図１２参照）が形成されている。
【００３８】
図５〜図７に示すように、区画部材４１は、ボックス本体３１に対して着脱可能である。区画部材４１は、ボックス本体３１の内周形状に整合するように形成された前縁部４２、左右の側縁部４３Ｌ，４３Ｒ、および後縁部４４を有している。前縁部４２は、前方に凸の湾曲形状に形成されている。左右の側縁部４３Ｌ，４３Ｒは、左右膨出部３６Ｌ，３６Ｒを避けるように凹状（切り欠き状）に形成されている。後縁部４４は、車幅方向に沿うように形成されている。
【００３９】
前縁部４２の前端部には、ボックス本体３１の前部に形成された差し込み孔に挿脱可能な一対の前係止爪４２ａが突設されている。右側縁部４３Ｒには、ボックス本体３１の右後部に形成された差し込み孔に挿脱可能な右後係止爪４３ａが突設されている。左側縁部４３Ｌと後縁部４４とが交わる左後角部には、ボックス本体３１の左後部に形成された締結部に締結可能な左後締結部４４ａが設けられている。
【００４０】
図９〜図１２に示すように、区画部材４１の各縁部４２，４３Ｌ，４３Ｒ，４４には、下方に向けて起立する周縁リブ４５が連続して形成されている。区画部材４１の下面には、例えば格子状の補強リブ４６が形成されるとともに、バッテリ５１の上面部５１ａに係合して上面部５１ａの位置を定める係合突部４７が形成されている。
【００４１】
下段収納空間ＬＫには、バッテリ５１の他、スタータリレー５２およびＣＤＩ（Capacitor Discharge Ignition）５３等の電装部品が収納されている。なお、電装部品は、上記したものに限らず、ＥＣＵ（Electronic Control Unit）、ヒューズボックスおよび灯火器用のユニット等であってもよい。
【００４２】
バッテリ５１は、例えば略直方体形状の鉛バッテリである。バッテリ５１は、正極及び負極のターミナル５１ｂ，５１ｃを有する上面部５１ａを略水平にして配置されている。バッテリ５１は、平面視で長方形状の上面部５１ａの長辺を車幅方向に沿わせ、短辺を車両前後方向に沿わせて配置されている。なお、バッテリ５１は、鉛バッテリに限らず、リチウムイオンバッテリやニッケル水素バッテリ等であってもよい。
【００４３】
図７、図８、図１２に示すように、区画部材４１の上面側には、車載工具（メンテナンスツール）を収納するためのツール収納部６０が一体形成されている。ツール収納部６０は、車両左右中心ＣＬに対して車幅方向一側（実施形態では右側）に偏って設けられている。ツール収納部６０は、車幅方向で互いに隣接する第一ツール保持部６１（ツール保持部）および第二ツール保持部７１を有している。
【００４４】
第一ツール保持部６１に保持される車載工具は、例えば車載工具に多用される両口スパナ５５（第一メンテナンスツール、以下、単にスパナ５５という。）である。スパナ５５は、偏平な断面形状の柄部５５ａ（グリップ部）を有している。以下、柄部５５ａの長さ方向、ならびに断面形状の厚さ方向および幅方向を、それぞれスパナ５５の長さ方向、厚さ方向および幅方向とする。柄部５５ａの長さ方向の両端部には、それぞれ頭部５５ｂ，５５ｃ（オープンエンド部）が一体形成されている。なお、第一ツール保持部６１に保持する車載工具は、両口スパナに限らず、両頭部が閉じたメガネレンチや一方の頭部が閉じたコンビネーションレンチ等、偏平な断面形状を有して延びる他の車載工具であってもよい。
【００４５】
第一ツール保持部６１は、区画部材４１の上面４１ａから上方に起立する支持壁部６２と、スパナ５５の長さ方向に平行な溝部６５（凹部）と、を有している。第一ツール保持部６１は、スパナ５５の長さ方向が車両前後方向を向くようにスパナ５５を保持する。第一ツール保持部６１は、スパナ５５の厚さ方向が車幅方向を向くとともに幅方向が上下方向を向くように、スパナ５５を起立させて保持する。支持壁部６２は、左右支持壁部６３，６４を有している。左右支持壁部６３，６４は、幅方向で起立したスパナ５５を車幅方向両側から挟み込むように支持する。左右支持壁部６３，６４は樹脂等の柔軟な素材で形成されており、メンテナンスツールの固定時には広げて挿入することができる。
【００４６】
左右支持壁部６３，６４間には、溝部６５が形成されている。溝部６５は、断面矩形状をなして車両前後方向に延びる有底の溝である。溝部６５は、スパナ５５の長さ方向に沿って延び、幅方向で起立したスパナ５５の下部を保持する。溝部６５は、スパナ５５の厚さと同等の幅を有している。溝部６５は、スパナ５５の下部を保持することで、起立したスパナ５５を左右支持壁部６３，６４とともにしっかり支えるとともに、起立したスパナ５５の高さや左右支持壁部６３，６４の高さを抑え、上段収納空間ＵＫへの影響を抑えている。
【００４７】
図３に示すように、左右支持壁部６３，６４を含む支持壁部６２は、左右膨出部３６Ｌ，３６Ｒの最上位置である上端部３６ａよりも下方に配置されている。図３では、相対的に大きい左膨出部３６Ｌの上端部３６ａを示している。これにより、支持壁部６２が左右膨出部３６Ｌ，３６Ｒよりも上方の空間に突出せず、左右膨出部３６Ｌ，３６Ｒよりも上方の空間の深さが確保される。左右膨出部３６Ｌ，３６Ｒよりも上方の空間は幅広であり、ヘルメット等の大型物品の収納に役立つ。支持壁部６２の高さが左右膨出部３６Ｌ，３６Ｒよりも低く抑えられることで、ヘルメット等の大型物品を収容したときに支持壁部６２が干渉し難く、物品収納ボックス３０の実用的な容量の増加に寄与する。
【００４８】
図５〜図８に示すように、例えば左右支持壁部６３，６４の一方（本実施形態では左支持壁部６３）は、スパナ５５の長さ方向に沿って車両前後方向に連続して形成されている。左支持壁部６３には、その後部に、周囲に対して部分的に高さを低くした（本実施形態では高さを０にした）切り欠き部６３ａが形成されている。この切り欠き部６３ａにより、利用者が左右支持壁部６３，６４に支えられたスパナ５５を把持しやすくなっている。
【００４９】
左右支持壁部６３，６４の他方（本実施形態では右支持壁部６４）は、スパナ５５の長さ方向で連続せず断続的に形成されている。換言すれば、右支持壁部６４は、複数の切り欠き部６４ａを有している。右支持壁部６４の切り欠き部６４ａの少なくとも一部は、左支持壁の切り欠き部６３ａとスパナ５５の長さ方向で一致する位置にあり、利用者がより一層スパナ５５を把持しやすくなっている。
【００５０】
区画部材４１の上面には、溝部６５の後部に右側から連通する半球状の窪み部６６が形成されている。窪み部６６は、スパナ５５の長さ方向で切り欠き部６３ａと同位置にあり、切り欠き部６３ａを通じて溝部６５の後部を左支持壁部６４の外側（左方）に開放させている。この窪み部６６により、利用者がより一層スパナ５５を把持しやすくなっている。
【００５１】
図１３Ａ〜図１３Ｄ、図１４をさらに参照し、左右支持壁部６３，６４の一方（本実施形態では左支持壁部６３）には、その上端部から右方（溝部６５側）へ突出するツール係止部６３ｂが突設されている。ツール係止部６３ｂは、溝部６５の上方で平面視で、溝部６５の幅の半分程と重なるように突出している。これにより、ツール係止部６３ｂが溝部６５に収納したスパナ５５に上方から係止し、溝部６５に収納したスパナ５５の上方への離脱を抑えている。ツール係止部６３ｂの下方には、区画部材４１の成形時にスライド型を抜くためのスライド通過部６３ｂ１が形成されている。
【００５２】
スパナ５５の両頭部５５ｂ，５５ｃは、互いにサイズが異なり、かつ長さ方向に対して互いに相反する方向に傾斜した開口部を有している。
図１３Ａ〜図１３Ｄに示すように、スパナ５５は、厚さ方向から見たとき、長さ方向および幅方向の向きを入れ替えることで、相互に異なる四つの形状になり得る。このため、スパナ５５を厚さ方向から見た形状に整合するようなツール保持部の場合、スパナ５５の向きを長さ方向および幅方向で合わせる必要がある。
【００５３】
本実施形態の第一ツール保持部６１は、スパナ５５を厚さ方向が車幅方向を向くように起立させた姿勢で保持する。このとき、スパナ５５が長さ方向および幅方向で向きを入れ替えても、スパナ５５を左右支持壁部６３，６４間に上方から差し込むのみで保持可能である。このため、スパナ５５の向きを長さ方向および幅方向で合わせる場合に比して使い勝手がよい。また、スパナ５５の上方への離脱を規制するツール係止部６３ｂは、柄部５５ａの長さ方向中間部に上方から係止する。柄部５５ａの長さ方向中間部は、スパナ５５が長さ方向および幅方向で向きを入れ替えても位置変化が少なく、ツール係止部６３ｂの係止への影響が少ない。
【００５４】
図５〜図８に示すように、左支持壁部６３は、スパナ５５の長さ方向に沿って車両前後方向に延びる前後方向延出壁部６３ｃ部とされる。左支持壁部６３の前端部には、溝部６５の前端に沿って右方に屈曲し、右支持壁部６４の前部に接続される前端延出壁部６３ｄが連設されている。
【００５５】
右支持壁部６４は、溝部６５の前後に離間して設けられる比較的小型の第一支持壁部６４ｂと、溝部６５の後部の右側に沿う第二支持壁部６４ｃと、溝部６５の前部の右側に沿う第三支持壁部６４ｄと、に分割されている。各第一支持壁部６４ｂには、それぞれ補強リブ６４ｂ１が一体に設けられ、平面視でＴ字状をなしている。第二支持壁部６４ｃの後端部には、溝部６５の後端に沿って左方に屈曲して延びる後端延出壁部６４ｃ１が連設され、平面視でＬ字状をなしている。第三支持壁部６４ｄには、溝部６５の前方まで延びる延長壁部６４ｄ１が連設されるとともに、延長壁部６４ｄ１の前端部には、車幅方向外側（右方）に屈曲して延びる車幅方向延出壁部６７が連設されている。
【００５６】
右支持壁部６４は、分断された壁部６４ｂ，６４ｃ，６４ｄ，６４ｄ１毎に前後方向と直交するリブ６４ｂ１又は壁部６４ｃ１，６７を有することで、断続的な構成でも強固であり、スパナ５５を強固に保持可能である。
左支持壁部６３は、車幅方向延出壁部６７、延長壁部６４ｄ１および前端延出壁部６３ｄによって、前端部が右方から支持されている。これにより、左支持壁部６３を強固にしてスパナ５５を強固に保持可能である。
【００５７】
右支持壁部６４の右方には、右支持壁部６４、車幅方向延出壁部６７、およびボックス本体３１の内壁部に囲まれた領域Ｒ１が区画されている。この領域Ｒ１には、スパナ５５とは別に他の車載工具を保持する第二ツール保持部７１が設けられている。
【００５８】
第二ツール保持部７１に保持される車載工具は、例えばプラグレンチ（第二メンテナンスツール）５６、および差し替え式ドライバー（第三メンテナンスツール）５７の柄部（グリップ部）である。プラグレンチ５６およびドライバー５７は、それぞれ筒状をなし、互いに軸方向で略同軸に並んだ状態で、第二ツール保持部７１に保持される。
【００５９】
第二ツール保持部７１は、プラグレンチ５６を保持する第一クリップ部７３と、ドライバー５７の柄部の前後を保持する一対の第二クリップ部７２と、を有している。各クリップ部７２，７３は、第一ツール保持部６１の支持壁部６２よりも高く設けられているが、支持壁部６２と同様、左右膨出部３６Ｌ，３６Ｒの上端部３６ａよりも下方に配置されている。これにより、左右膨出部３６Ｌ，３６Ｒよりも上方の空間の深さが確保される。
【００６０】
なお、第二ツール保持部７１に保持する車載工具は、プラグレンチ５６およびドライバー５７に限らず、六角レンチやプライヤー等、他の車載工具であってもよい。区画部材４１における前縁部４２と右側縁部４３Ｒとが交わる突状部には、例えば下段収納空間ＬＫからアクセサリー電源用配線を引き出すための引き出し部７４が設けられている。
【００６１】
以上説明したように、上記実施形態における鞍乗型車両の収納構造によれば、区画部材４１の上面にツール保持部６１，７１を設けて車載工具を縦方向（車両前後方向）に沿わせて配置するので、ボックス内側で車幅方向内側に膨出する左右膨出部３６Ｌ，３６Ｒがあっても、長さを有する車載工具を区画部材４１の上面に容易に保持することができる。このため、車載工具は出し入れしやすい上段収納空間ＵＫに収納しながら、区画部材４１で遮蔽された下段収納空間ＬＫは例えばバッテリ５１等の電装部品の収納空間として有効利用することができる。
【００６２】
また、ツール保持部は、上方に向けて起立した支持壁部６２によって、車載工具を長さ方向と直交する車幅方向から支えるので、車載工具を安定して保持することができる。そして、支持壁部６２は、左右膨出部３６Ｌ，３６Ｒの上端部３６ａの高さよりも低く設けられているので、支持壁部６２が左右膨出部３６Ｌ，３６Ｒよりも上方の空間に突出せず、左右膨出部３６Ｌ，３６Ｒよりも上方の空間の深さを確保することができる。区画部材４１の上面にツール保持部の支持壁部６２等を一体形成する構成であれば、別途の部品を追加することなく車載工具の保持構造を容易に設けることができる。
【００６３】
なお、本発明は上記実施形態に限られるものではなく、例えば、区画部材が電装部品の収納空間を区画する構成に限らず、区画部材が他の車両部品の収納空間や第二の収納空間を区画するものであってもよい。区画部材がボックス内部空間を三つ以上に区画する構成であってもよい。区画部材が区画した空間同士を完全に仕切るものであったり部分的に連通させるものであってもよい。右支持壁部がメンテナンスツールの長さ方向に沿って連続する壁であったり左支持壁部がメンテナンスツールの長さ方向で断続する壁であってもよい。メンテナンスツールの長さ方向に沿う溝状の凹部に限らず種々のメンテナンスツールに応じた形状の凹部を備えてもよい。
上記鞍乗型車両には、運転者が車体を跨いで乗車する車両全般が含まれ、自動二輪車（原動機付自転車及びスクータ型車両を含む）のみならず、三輪（前一輪かつ後二輪の他に、前二輪かつ後一輪の車両も含む）又は四輪の車両も含まれる。
そして、上記実施形態における構成は本発明の一例であり、実施形態の構成要素を周知の構成要素に置き換える等、本発明の要旨を逸脱しない範囲で種々の変更が可能である。
【符号の説明】
【００６４】
１  自動二輪車（鞍乗型車両）
１０ｂ１  シートレール（車体フレーム部材）
３０  物品収納ボックス
３６ａ  上端部
３６Ｌ，３６Ｒ  膨出部
４１  区画部材
４１ａ  物品載置面（上面）
５５  両口スパナ（第一メンテナンスツール）
５６  プラグレンチ（第二メンテナンスツール）
５７  ドライバー（第三メンテナンスツール）
６１  第一ツール保持部（ツール保持部）
６２  支持壁部
６３  左支持壁部
６３ａ  切り欠き部
６３ｂ  ツール係止部
６３ｃ  前後方向延出壁部
６４  右支持壁部
６４ａ  切り欠き部
６５  溝部（凹部）
６６  窪み部
６７  車幅方向延出壁部
７１  第二ツール保持部
Ｋ１  ボックス内部空間
Ｒ１  領域
【図１】
0006705026.tif 000002
【図２】
0006705026.tif 000003
【図３】
0006705026.tif 000004
【図４】
0006705026.tif 000005
【図５】
0006705026.tif 000006
【図６】
0006705026.tif 000007
【図７】
0006705026.tif 000008
【図８】
0006705026.tif 000009
【図９】
0006705026.tif 000010
【図１０】
0006705026.tif 000011
【図１１】
0006705026.tif 000012
【図１２】
0006705026.tif 000013
【図１３Ａ】
0006705026.tif 000014
【図１３Ｂ】
0006705026.tif 000015
【図１３Ｃ】
0006705026.tif 000016
【図１３Ｄ】
0006705026.tif 000017
【図１４】
0006705026.tif 000018